(57)【要約】【課題】外縁部の解れを防止することができるフィルタ及びその配設方法を提供することにある。【解決手段】液体流路２３１ａに配設されるメッシュ状のフィルタ２３２の外縁部全周を被覆するようにリブ２４０により前記液体流路に固着する。これにより、固着用部材が外縁部を覆い被さることになるので、外縁部の解れを防止することができる。そして、外縁部の解れによるフィルタ構成部材の脱落を防止することができ、記録装置に適用した場合には記録精度を高精度な状態に維持することができる。【選択図】図８
2007216518.tif 000002
【特許請求の範囲】
【請求項１】
液体流路に配設されるメッシュ状のフィルタにおいて、
外縁部全周を被覆するように前記液体流路に固着したことを特徴とするフィルタ。
【請求項２】
液体噴射装置の装置本体に取り付けられた液体供給手段から液体噴射手段に向かう液体が流れる流路の所定箇所に配置されているバルブに用いられることを特徴とする請求項１に記載のフィルタ。
【請求項３】
液体流路にメッシュ状のフィルタを配設する方法において、
フィルタ配設部に前記フィルタの外縁部全周を囲むリブを設け、
前記リブの内側に前記フィルタを配置し、
前記リブを加熱加圧することで前記フィルタの外縁部全周を被覆して前記フィルタ配設部に固着することを特徴とするフィルタの配設方法。
【発明の詳細な説明】
【技術分野】
【０００１】
本発明は、液体流路に配設されるメッシュ状のフィルタ及びその配設方法に関する。
【背景技術】
【０００２】
液体噴射装置の１つであるインクジェット式記録装置は、記録ヘッドが搭載されたキャリッジにインクカートリッジを装着するオンキャリッジと呼ばれるタイプのものと、キャリッジから離れた箇所にインクカートリッジを配置してインク供給チューブで接続したオフキャリッジと呼ばれるタイプのものがある。このインク供給チューブは、キャリッジ側にて記録ヘッドに接続されたヘッド用バルブに接続される。このヘッド用バルブは、インクカートリッジからインク供給チューブを介して供給されるインクに混入している不純物等をフィルタリングした後、所定のタイミングで開弁して所定量のインクを記録ヘッドに供給する機能を備えている（特許文献１、２参照）。
【０００３】
【特許文献１】特開平５−１０４７３８号公報
【特許文献２】特開平５−２４６０４１号公報
【発明の開示】
【発明が解決しようとする課題】
【０００４】
上述したヘッド用バルブは、インクに混入している不純物等をフィルタリングする例えばステンレス等の金属の繊維をメッシュ状にして矩形状に切断した構造のフィルタが配設されている。このフィルタは、矩形状の外縁部よりも内側の矩形状の輪郭部が、ヘッド用バルブ内のインク供給経路の途中のフィルタ配設部に溶着されている。このため、フィルタの外縁部は切断状態のままとなっており、長期間の使用によりフィルタの外縁部が解れて金属繊維が脱落するおそれがある。そして、脱落した金属繊維は、フィルタのメッシュ間を通り抜け、記録ヘッドのノズル詰まりを引き起こして記録不良を発生させるおそれがある。
【０００５】
本発明は、上記のような種々の課題に鑑みなされたものであり、その目的は、外縁部の解れを防止することができるフィルタ及びその配設方法を提供することにある。
【課題を解決するための手段】
【０００６】
上記目的達成のため、本発明のフィルタでは、液体流路に配設されるメッシュ状のフィルタにおいて、外縁部全周を被覆するように前記液体流路に固着したことを特徴としている。これにより、固着用部材が外縁部を覆い被さることになるので、外縁部の解れを防止することができる。また、液体噴射装置の装置本体に取り付けられた液体供給手段から液体噴射手段に向かう液体が流れる流路の所定箇所に配置されているバルブに用いられることを特徴としている。これにより、液体噴射手段におけるフィルタ脱落物による目詰まりを防止して液体を常に高精度に噴射させることができる。
【０００７】
上記目的達成のため、本発明のフィルタの配設方法では、液体流路にメッシュ状のフィルタを配設する方法において、フィルタ配設部に前記フィルタの外縁部全周を囲むリブを設け、前記リブの内側に前記フィルタを配置し、前記リブを加熱加圧することで前記フィルタの外縁部全周を被覆して前記フィルタ配設部に固着することを特徴としている。これにより、リブが外縁部を覆い被さることになるので、外縁部の解れを防止することができる。
【発明を実施するための最良の形態】
【０００８】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【０００９】
図１及び図２は、本発明の一実施の形態に係る記録装置の１つであるインクジェット式プリンタの外観構成の全体を斜め前方及び後方から見た斜視図、図３は、その内部構成の概略を示す斜視図、図４は、その内部構成の概略を示す断面側面図である。このインクジェット式プリンタ１００は、例えばＬ判／２Ｌ判、ハガキ、ＪＩＳ規格のＡ４判、Ａ３判ノビ、Ａ２判等のサイズの単票紙（以下、単に用紙（被記録媒体）という）にインクにより記録することができる機能を備えている。
【００１０】
このインクジェット式プリンタ１００は、図１及び図２に示すように、全体が略直方体状のハウジング１０１で覆われている。そして、ハウジング１０１の図１に示す上面右前側には操作部１１０が配設され、図１に示す上面左前側にはカートリッジ収納部１２０が配設されている。更に、図１に示す上面後側には第１リア給紙部１３０が配設され、図２に示す背面側には第２リア給紙部１４０が配設されている。そして、図１に示す前面側には排紙部１５０とフロント給紙部１６０が配設され、図１に示す前面右側には廃インク回収部１７０が配設されている。また、このインクジェット式プリンタ１００の内部には、図３及び図４に示す用紙搬送部１８０、図２及び図４に示す制御部１９０、図３及び図４に示す本発明の特徴的な部分であるヘッド用バルブ２３０を含む記録部２００が配設されている。
【００１１】
そして、図１及び図２に示すように、ハウジング１０１の上面における操作部１１０及びカートリッジ収納部１２０と第１リア給紙部１３０との間には、矩形状の開口部１０３が形成されている。この開口部１０３は、略矩形平板状のプリンタカバー２１０によって覆われている。プリンタカバー２１０は、後端の回動軸を中心に図示矢印ａ方向に回動可能に取り付けられている。ユーザは、プリンタカバー２１０を持ち上げて開口部１０３を開放することにより、開口部１０３を通して用紙搬送部１８０や記録部２００等の内部機構のメンテナンス作業等を簡易に行うことができる。
【００１２】
操作部１１０は、図１及び図２に示すように、略矩形状の操作パネル１１１を備え、この操作パネル１１１の略中央部に操作状態等を表示する液晶パネル１１２が配設され、この液晶パネル１１２の両側にパワーをオン・オフするパワー系、用紙の頭出し等を操作したりインクのフラッシング等を操作する操作系、画像処理等を行う処理系等のボタン１１３が配設されている。ユーザは、液晶パネル１１２を見て確認しながらボタン１１３を操作することができるので、誤操作を防止することができる。
【００１３】
カートリッジ収納部１２０は、図１及び図２に示すように、印刷用の各色（本例では９色）のインクを貯留している図３及び図４に示すインクカートリッジ１２１が抜き差し可能に収納されている。このカートリッジ収納部１２０は、断面がＬ字状のカートリッジカバー１２２によって覆われている。カートリッジカバー１２２は、後端の回動軸を中心に図示矢印ｂ方向に回動可能に取り付けられている。ユーザは、カートリッジカバー１２２を持ち上げてカートリッジ収納部１２０を開放することにより、インクカートリッジ１２１を簡易に交換等することができるので、作業効率を向上させることができる。
【００１４】
第１リア給紙部１３０は、自動給紙（ＡＳＦ）用であり、図１及び図２に示すように、上方に向かって矩形状に開口した第１給紙口１３１を開閉する機能と、給紙する用紙を１枚もしくは複数枚サポートする機能を併せ持った４段構造の第１ペーパーサポート１３２を備えている。この第１ペーパーサポート１３２は、後端の回動軸を中心に図示矢印ｃ方向に回動可能に取り付けられている。この第１リア給紙部１３０で給紙される用紙は、比較的薄手の用紙（例えば、厚さ０．０８ｍｍ〜０．２７ｍｍ程度の普通紙や写真用紙等）が使用される。
【００１５】
ユーザは、インクジェット式プリンタ１００の使用前においては、第１ペーパーサポート１３２の図示手前中央に設けられた穴１３２ａに指を掛けて第１ペーパーサポート１３２を持ち上げて多段部分を引き出すことによりセッティングが完了するので、着脱式のペーパーサポートの場合に必要な保管や管理等が不要となる。更に、多段構造の第１ペーパーサポート１３２であるので、種々のサイズの給紙する用紙を確実にサポートすることができる。また、インクジェット式プリンタ１００の使用後においては、第１ペーパーサポート１３２を多段部分を押し込んで閉じることにより第１給紙口１３１を塞ぐことができるので、プリンタ本体内への埃の侵入を防止することができると共に、第１ペーパーサポート１３２をコンパクトに格納しておくことができる。
【００１６】
第２リア給紙部１４０は、手差し給紙用であり、図２に示すように、後方に向かって矩形状に開口した第２給紙口１４１を開閉する機能と、給紙する用紙を１枚サポートする機能を併せ持った２段構造の第２ペーパーサポート１４２を備えている。この第２ペーパーサポート１４２は、下端の回動軸を中心に図示矢印ｄ方向に回動可能に取り付けられている。この第２リア給紙部１４０で給紙される用紙は、第１リア給紙部１３０における搬送角度で給紙できない厚さの用紙（例えば、厚さ０．２９ｍｍ〜０．４８ｍｍ程度の画材用紙や専用紙等）が使用される。更に、第１リア給紙部１３０は自動給紙（ＡＳＦ）用であることから給紙ローラ８２で用紙をピックアップするので、この給紙ローラ８２に紙粉が付着して蓄積されると、給紙ローラ８２に滑りが生じて給紙不良を引き起こすおそれがある。そのため、紙粉が発生し易い用紙（例えば、厚さ０．４８ｍｍ程度のＶｅｌｖｅｔ  Ｆｉｎｅ  Ａｒｔ  Ｐａｐｅｒや厚さ０．４６ｍｍ程度のＵｌｔｒａ  Ｓｍｏｏｔｈ  Ｆｉｎｅ  Ａｒｔ  Ｐａｐｅｒ）についても、第２リア給紙部１４０で手差し給紙させる必要がある。
【００１７】
ユーザは、インクジェット式プリンタ１００の使用前においては、第２ペーパーサポート１４２の図示上部に指を掛けて第２ペーパーサポート１４２を押し下げて多段部分を引き出すことによりセッティングが完了するので、着脱式のペーパーサポートの場合に必要な保管や管理等が不要となる。更に、多段構造の第２ペーパーサポート１４２であるので、種々のサイズの給紙する用紙を確実にサポートすることができる。また、インクジェット式プリンタ１００の使用後においては、第２ペーパーサポート１４２を多段部分を押し込んで閉じることにより第２給紙口１４１を塞ぐことができるので、プリンタ本体内への埃の侵入を防止することができると共に、第２ペーパーサポート１４２をコンパクトに格納しておくことができる。
【００１８】
排紙部１５０は、図１に示すように、前方に向かって矩形状に開口した排紙口１５１を開閉する機能と、排紙される用紙を１枚もしくは複数枚スタックする機能を併せ持った図３に示す第１スタッカ５１と第２スタッカ５２の２段構造のスタッカ１５２を備えている。第１スタッカ５１は、第２スタッカ５２の先端側で回動軸を中心に図示矢印ｅ方向に回動可能に取り付けられている。第２スタッカ５２は、排紙口１５１に対して斜め上下に平行移動して突出・格納可能なように取り付けられている。
【００１９】
ユーザは、インクジェット式プリンタ１００の使用前においては、第１スタッカ５１の上部に指を掛け第１スタッカ５１を手前に回動させて排紙口１５１を開け、第１スタッカ５１の先端を指で摘んで引き出し第２スタッカ５２を斜め上方へ平行移動させて突出させることによりセッティングが完了するので、着脱式のスタッカの場合に必要な保管や管理等が不要となる。更に、多段構造のスタッカ１５２であるので、種々のサイズの排紙される用紙を確実に積層載置することができ、また、記録後の用紙は常に前面側から排紙されるので、ユーザは用紙を容易に取り出すことができる。また、インクジェット式プリンタ１００の使用後においては、第１スタッカ５１の先端を手で押し込むことにより第２スタッカ５２を斜め下方へ平行移動させて格納すると共に、第１スタッカ５１に手を添えて第１スタッカ５１を後方へ回動させて排紙口１５１を塞ぐことができるので、プリンタ本体内への埃の侵入を防止することができると共に、スタッカ１５２をコンパクトに格納しておくことができる。
【００２０】
フロント給紙部１６０は、手差し給紙用であり、図３に示すように、排紙口１５１におけるスタッカ１５２の上方に配設された給紙トレイ１６１を備えている。この給紙トレイ１６１は、排紙口１５１に対して水平に移動可能に設けられている。このフロント給紙部１６０で給紙される用紙は、搬送時に折り曲げることが不可能な比較的厚手の用紙（例えば、厚さ１．２ｍｍ程度のマットボード紙等）が使用される。
【００２１】
ユーザは、インクジェット式プリンタ１００の使用前においては、給紙トレイ１６１の先端を軽く押し込むことにより、給紙トレイ１６１のストッパが外れて給紙トレイ１６１が排紙口１５１から突出する。また、インクジェット式プリンタ１００の使用後においては、給紙トレイ１６１の先端を軽く押し込むことにより、給紙トレイ１６１のストッパが掛かって給紙トレイ１６１が排紙口１５１内に格納される。従って、給紙トレイ１６１の配設スペース効率を高めることができる。
【００２２】
廃インク回収部１７０は、図１〜図３に示すように、廃インク等を貯留する廃インクタンク１７１が抜き差し可能に収納されている。この廃インクタンク１７１は、記録ヘッド２０２のクリーニング処理時やインクカートリッジの交換時に廃棄される廃インク等を貯留する。ユーザは、廃インクタンク１７１に廃インク等が一杯に溜まったときは、その廃インクタンク１７１を引き出して新しい廃インクタンク１７１を差し込むのみで良いので、廃インクタンク１７１の交換作業を簡易に行うことができる。
【００２３】
用紙搬送部１８０は、図３及び図４に示すように、第１リア給紙部１３０及び第２リア給紙部１４０から排紙部１５０に掛けて配設されており、自動給紙機構１８１、搬送機構１８２、排紙機構１８３を備えている。自動給紙機構１８１は、図４に示すように、第１ペーパーサポート１３２にサポートされている用紙を給送するために持ち上げるホッパ８１、このホッパ８１により持ち上げられた用紙を取り出す給紙ローラ８２、この給紙ローラ８２により重送された用紙を１枚のみに分離するリタードローラ８３、このリタードローラ８３により分離された残りの用紙をホッパ８１へ戻す紙戻しレバー８４等を備えている。
【００２４】
ホッパ８１は、用紙が載置可能な平板状に形成されて後壁と略平行に配設されており、下端が給紙ローラ８２の近傍に位置し、上端が後壁頂部に近接して位置するように配設されている。そして、ホッパ８１は、後壁に一端が取り付けられた図示しない圧縮バネの他端が下端側の裏面に取り付けられており、この圧縮バネの伸縮により上端側を中心に下端側が旋回するように配設されている。
【００２５】
給紙ローラ８２は、断面の一部が切り欠かれたＤ字状に形成されてホッパ８１の下端近傍に配設されており、間欠的に回転してホッパ８１により持ち上げられた用紙を摩擦給送するようになっている。リタードローラ８３は、給紙ローラ８２と当接可能に配設されており、給紙ローラ８２により用紙が重送されたときに最上層の用紙のみを下層の用紙から摩擦分離するようになっている。紙戻しレバー８４は、爪状に形成されて給紙ローラ８２の近傍に配設されており、リタードローラ８３により分離された下層の用紙を爪に掛けてホッパ８１へ戻すようになっている。
【００２６】
搬送機構１８２は、図４に示すように、記録動作に同期して副走査方向に用紙を送る紙送りローラ８５とその従動ローラ８６等が配設されている。紙送りローラ８５は、プラテン２０３の搬送上流側に配設されており、給紙ローラ８２により給送される用紙を従動ローラ８６と共に挟持してプラテン２０３へ送り出すようになっている。
【００２７】
排紙機構１８３は、図４に示すように、排紙ローラ８７と第１ギザローラ８８ａ及び第２ギザローラ８８ｂ等を備えている。第１ギザローラ８８ａは、プラテン２０３の搬送下流側に配設され、第２ギザローラ８８ｂと排紙ローラ８７は、第１ギザローラ８８ａの搬送下流側に対向配設されており、プラテン２０３を通過してくる用紙を先ず第１ギザローラ８８ａで排送し、続いて第２ギザローラ８８ｂと排紙ローラ８７で挟持してスタッカ１５２上へ排紙するようになっている。尚、第１ギザローラ８８ａ及び第２ギザローラ８８ｂは、図示しない同一の保持部材により保持されている。
【００２８】
制御部１９０は、図４に示すように、プリンタコントローラを構成するメイン基板１９１を備えている。このメイン基板１９１は、図示しないＣＰＵ、ＲＯＭ、ＲＡＭ、ＡＳＩＣ等の制御素子や記憶素子、及びその他の各種回路素子が装着されている。そして、プリントエンジンを構成する用紙搬送部１８０や記録部２００等を制御するようになっている。
【００２９】
記録部２００には、図４に示すように、記録動作に同期して主走査方向に移動するキャリッジ２０１、記録動作に同期してインクを吐出する記録ヘッド２０２、この記録ヘッド２０２に接続された本発明の特徴的な部分である各色のヘッド用バルブ２３０が配設されている。更に、記録時の用紙を平坦に保持するプラテン２０３、キャリッジ２０１の移動を案内するキャリッジガイド軸２０４等が配設されている。キャリッジ２０１は、図３に示すように、プラテン２０３の上方でキャリッジガイド軸２０４に貫装されてキャリッジベルト２０５に連結されており、図示しないキャリッジモータによってキャリッジベルト２０５が作動すると、キャリッジベルト２０５の動きに連行され、キャリッジガイド軸２０４に案内されて往復移動するようになっている。
【００３０】
記録ヘッド２０２は、図４に示すように、プラテン２０３と所定の間隔が空くようにしてキャリッジ２０１に搭載されており、２種類のブラック、例えばフォトブラックとマットブラックのインクと、イエロー、シアン、ライトシアン、マゼンタ、ライトマゼンタ、グレー、レッドの７色のインクをそれぞれ吐出することができる。即ち、記録ヘッド２０２は、圧力発生室とそれに繋がるノズル開口がノズルプレートに設けられており、圧力発生室内にインクを貯留して所定圧で加圧することにより、ノズル開口から用紙に向けてコントロールされた大きさのインク滴を吐出するようになっている。プラテン２０３は、矩形平板状に形成され、紙送りローラ８５と排紙ローラ８７の間であって記録ヘッド２０２と対向するように配設されており、搬送されてくる用紙を面支持するようになっている。
【００３１】
図５は、上記ヘッド用バルブ２３０とその周辺部をプリンタ前面側から見た斜視図、図６及び図７は、上記ヘッド用バルブ２３０の分解斜視図である。ヘッド用バルブ２３０は、図５に示すように、カートリッジ収納部１２０に収納される各色のインクカートリッジ１２１から延びる各色のインク供給チューブ２０６の端部にそれぞれ接続されている。このヘッド用バルブ２３０は、図６及び図７に示すように、合成樹脂材料で成るバルブ本体２３１と、このバルブ本体２３１のフィルタ配設部２３１ａに配設される金属繊維で成るフィルタ２３２と、バルブ本体２３１の表裏面に対しそれぞれ接合封止する可撓性の合成樹脂材料で成るフィルム材２３３、２３４を備えている。更に、バルブ本体２３１のバルブ配設部２３１ｂ、２３１ｃに配設されるバルブ２３５、コイルバネ２３６ａ、２３６ｂ、プレート２３７ａ、２３７ｂと、インク排出口２３１ｅに配設されるシール２３８、キャップ２３９を備えている。
【００３２】
バルブ本体２３１は、ポリプロピレン等の合成樹脂材料で成り、図６に示す面側にフィルタ配設部２３１ａ、バルブ配設部２３１ｂ及びインク流路２３１ｈが形成され、図７に示す面側にバルブ配設部２３１ｃ及びインク流路２３１ｆ、２３１ｇが形成されている。フィルタ配設部２３１ａは、矩形凹状に形成されており、外周部には全周に亘って後述するリブ２４０が突設されている。バルブ配設部２３１ｂは円形凹状に形成されており、このバルブ配設部２３１ｂには、先ずバルブ２３５が差し込まれ、次にコイルバネ２３６ａが配置され、最後にプレート２３７ａが嵌め込まれる。バルブ配設部２３１ｃも円形凹状に形成されており、このバルブ配設部２３１ｃには、先ずコイルバネ２３６ｂが配置され、次にプレート２３７ｂが嵌め込まれる。
【００３３】
フィルタ２３２は、例えばステンレス等の金属の繊維をメッシュ状にして矩形状に切断した構造であり、バルブ本体２３１のフィルタ配設部２３１ａに溶着されてインクに混入している不純物等をフィルタリングする。フィルム材２３３、２３４は、ポリプロピレン等が積層された合成樹脂材料で成り、バルブ本体２３１の表裏面に図示破線で示す部分が溶着されてフィルタ配設部２３１ａ、バルブ配設部２３１ｂ、２３１ｃ、インク流路２３１ｆ、２３１ｇ、２３１ｈを封止する。
【００３４】
このような構成において、カートリッジ収納部１２０に収納される各色のインクカートリッジ１２１から供給されるインクは、インク供給チューブ２０６を通ってヘッド用バルブ２３０に到達する。そして、インクは、インク供給口２３１ｄを通ってインク流路２３１ｆの入口２３１ｆａからインク流路２３１ｆ内に入り、インク流路２３１ｆを通ってインク流路２３１ｆの出口２３１ｆｂを抜ける。続いて、フィルタ配設部２３１ａの入口２３１ａａからフィルタ配設部２３１ａ内に入り、フィルタ２３２でフィルタリングされてフィルタ配設部２３１ａの出口２３１ａｂを抜ける。
【００３５】
そして、インク流路２３１ｇの入口２３１ｇａからインク流路２３１ｇ内に入り、インク流路２３１ｇを通ってインク流路２３１ｇの出口２３１ｇｂを抜ける。続いて、インク流路２３１ｈの入口２３１ｈａからインク流路２３１ｈ内に入り、インク流路２３１ｈを通ってバルブ配設部２３１ｂに至る。ここで、所定のタイミングでプレート２３７ｂが押圧されてバルブ２３５が開弁し、所定量のインクがバルブ配設部２３１ｃ内に入ってバルブ配設部２３１ｃの出口２３１ｃａを抜ける。そして、インク排出口２３１ｅを通って記録ヘッド２０２に到達する。
【００３６】
ここで、背景技術でも述べたように、従来のフィルタは、矩形状の外縁部よりも内側の矩形状の輪郭部が、ヘッド用バルブ内のインク供給経路の途中のフィルタ配設部に溶着されている。このため、フィルタの外縁部は切断状態のままとなっており、長期間の使用によりフィルタの外縁部が解れて金属繊維が脱落するおそれがある。そして、脱落した金属繊維は、フィルタのメッシュ間を通り抜け、記録ヘッドのノズル詰まりを引き起こして記録不良を発生させるおそれがある。そこで、本実施形態のフィルタ２３２は、上記問題を解消するために以下のような態様で配設されている。
【００３７】
図８は、上記フィルタ２３２の配設方法を説明する図である。図８（Ａ）に示すように、バルブ本体２３１のフィルタ配設部２３１ａには、外周部全周に亘ってリブ２４０が一体的に突設されている。このリブ２４０は、フィルタ２３２の外縁部全周を囲むように形成、即ちリブ２４０の内側にフィルタ２３２を嵌め込むことが可能な形状に形成されている。そして、図８（Ｂ）に示すように、リブ２４０の内側にフィルタ２３２を嵌め込んだ後、リブ２４０の頂部を加熱加圧手段により加熱加圧して溶着する。これにより、図８（Ｃ）に示すように、フィルタ２３２は、外縁部が全周に亘って溶けたリブ２４０により被覆されるので、長期間の使用によってもフィルタ２３２の外縁部の解れによる金属繊維の脱落を防止することができ、記録精度を高精度な状態に維持することができる。
【００３８】
図９は、上記フィルタ２３２の別の配設方法を説明する図である。図９（Ａ）に示すように、バルブ本体２３１のフィルタ配設部２３１ａには、外周部全周に亘って段部２４１が一体的に形成されている。この段部２４１は、フィルタ２３２の外縁部全周を囲むように形成、即ち段部２４１の内側にフィルタ２３２を嵌め込むことが可能な形状に形成されている。そして、図９（Ｂ）に示すように、段部２４１の内側にフィルタ２３２を嵌め込んだ後、段部２４１の頂部を加熱加圧手段により加熱加圧して溶着する。これにより、図９（Ｃ）に示すように、フィルタ２３２は、外縁部が全周に亘って溶けた段部２４１により被覆されるので、長期間の使用によってもフィルタ２３２の外縁部の解れによる金属繊維の脱落を防止することができ、記録精度を高精度な状態に維持することができる。また、リブ２４０では溶けたときに発生するおそれがある外側に突き出るバリが段部２４１では発生しないので、バリの脱落による記録ヘッド２０２のノズル目詰まりも無く、記録精度を高精度な状態に維持することができる。
【００３９】
尚、上述した実施形態では、フィルタ配設部２３１ａに一体的に形成したリブ２４０もしくは段部２４１によりフィルタ２３２を溶着するようにしたが、フィルタ２３２がフィルタ配設部２３１ａに固着されれば特に限定されるものでは無く、例えば別体の枠部材によりフィルタ２３２を接着もしくは溶着等しても同様の効果を奏し、又は、熱硬化性もしくは熱可塑性の接着剤によりフィルタ２３２を接着しても同様の効果を奏する。また、ヘッド用バルブ２３０に使用されるフィルタ２３２について説明したが、インク経路上であれば任意の箇所に配設されるフィルタに適用可能である。
【産業上の利用可能性】
【００４０】
フィルタを備えた記録装置としてインクジェット式プリンタを例に説明したが、フィルタを備えた記録装置であれば、例えばファクシミリ装置、コピー装置等であっても適用可能である。また、記録装置に限らず、インクに代えてその用途に対応する液体を液体噴射ヘッドから被噴射媒体に噴射して液体を被噴射媒体に付着させる液体噴射装置の意味として、例えば、液晶ディスプレイ等のカラーフィルタ製造に用いる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料噴射ヘッド等を備えた装置にも適用可能である。
【図面の簡単な説明】
【００４１】
【図１】本発明の一実施の形態に係る記録装置の１つであるインクジェット式プリンタの外観構成の全体を斜め前方から見た斜視図である。
【図２】図１のプリンタの外観構成の全体を斜め後方から見た斜視図である。
【図３】図１のプリンタの内部構成の概略を示す斜視図である。
【図４】図１のプリンタの内部構成の概略を示す断面側面図である。
【図５】図１のプリンタのヘッド用バルブとその周辺部をプリンタ前面側から見た分解斜視図である。
【図６】図５のヘッド用バルブの第１の分解斜視図である。
【図７】図５のヘッド用バルブの第２の分解斜視図である。
【図８】図５のヘッド用バルブのフィルタの配設方法を説明する図である。
【図９】図５のヘッド用バルブのフィルタの別の配設方法を説明する図である。
【符号の説明】
【００４２】
１００  インクジェット式プリンタ、１１０  操作部、１２０  カートリッジ収納部、１３０  第１リア給紙部、１４０  第２リア給紙部、１５０  排紙部、１６０  フロント給紙部、１７０  廃インク回収部、１８０  用紙搬送部、１９０  制御部、２００  記録部、２１０  プリンタカバー、２３０  ヘッド用バルブ、２３１  バルブ本体、２３１ａ  フィルタ配設部、２３２  フィルタ、２４０  リブ、２４１  段部
【図１】
2007216518.tif 000003
【図２】
2007216518.tif 000004
【図３】
2007216518.tif 000005
【図４】
2007216518.tif 000006
【図５】
2007216518.tif 000007
【図６】
2007216518.tif 000008
【図７】
2007216518.tif 000009
【図８】
2007216518.tif 000010
【図９】
2007216518.tif 000011